(57)【要約】  開示される技術は、フィルムパッケージを使用しない単位用量洗浄製品のための製剤に関するものであり、単位用量洗浄製品は、基本洗浄組成物と、Ｃ６〜Ｃ３０脂肪酸またはそれらの混合物および少なくとも１つの水溶性または水分散性ポリマーを含む構造化剤と、を含有する。【特許請求の範囲】
【請求項１】
構造化された単位用量溶解性物品であって、
ａ．洗浄組成物と、
ｂ．構造化剤組成物であって、
ｉ．Ｃ６〜Ｃ３０脂肪酸またはそれらの混合物と、
ｉｉ．少なくとも１つの水溶性または水分散性ポリマーと、
を含む、構造化剤組成物と、
を含む、構造化された単位用量溶解性物品。
【請求項２】
前記脂肪酸が、オレイン酸、デカン酸、カプリル酸、ラウリン酸、ミリスチン酸、パルミチン酸、ステアリン酸、またはそれらの組み合わせのうちの少なくとも１つである、請求項１に記載の構造化された単位用量溶解性物品。
【請求項３】
前記水溶性または水分散性ポリマーが、親水コロイド（オリゴまたは多糖類など）、ポリ（アルキレン）グリコール、ポリ（ビニル）アルコール、ポリ（ビニル）ピロリドン、ポリ（アクリルアミド）、ポリ（ウレタン）、ならびにそれらの誘導体および組み合わせである、先行するいずれかの請求項に記載の構造化された単位用量溶解性物品。
【請求項４】
前記水溶性または水分散性ポリマーが、約２００〜約１，０００，０００の数平均分子量を有するポリエチレングリコールポリマーである、請求項３に記載の構造化された単位用量溶解性物品。
【請求項５】
前記水溶性または水分散性ポリマーが、エチレンオキシド−プロピレンオキシド−ブチレンオキシドブロックコポリマーである、請求項３に記載の構造化された単位用量溶解性物品。
【請求項６】
前記水溶性または水分散性ポリマーが、置換オリゴまたは多糖類であり、前記置換基が、ポリ（エチレン）グリコール、ポリ（ビニル）アルコール、ポリ（ビニル）ピロリドン、ポリ（アクリルアミド）、またはそれらの組み合わせから誘導される、請求項３に記載の構造化された単位用量溶解性物品。
【請求項７】
前記水溶性または水分散性ポリマーが、アルコキシ化ポリオールポリマーである、請求項３に記載の構造化された単位用量溶解性物品。
【請求項８】
前記アルコキシ化ポリオールポリマーが、エチレンオキシドから誘導される２〜１０００単位を有するポリエチレングリコールメチルグルコースポリマーである、請求項７に記載の構造化された単位用量溶解性物品。
【請求項９】
前記アルコキシ化ポリオールポリマーが、ジ−Ｃ１〜Ｃ１２アルキルＣ３〜Ｃ６０脂肪酸でさらにエステル化されている、請求項７または８に記載の構造化された単位用量溶解性物品。
【請求項１０】
前記水溶性または水分散性ポリマーが、ポリエチレングリコールベースのポリウレタンを含む、請求項３に記載の構造化された単位用量溶解性物品。
【請求項１１】
前記ポリウレタンが、ポリエステルポリオール、ポリエーテルポリオール、ポリカプロラクトンジオール、ポリブタジエンポリオールおよびそれらの混合物から誘導される単位、ならびにエンドキャップされたポリウレタンをさらに含む、請求項１０に記載の構造化された単位用量溶解性物品。
【請求項１２】
前記洗浄組成物が、直鎖または分岐鎖アルキルベンゼンスルホン酸、アルキル硫酸塩、アルキルエーテル硫酸塩、アルファオレフィンスルホン酸塩、およびそれらの組み合わせを含む、先行するいずれかの請求項に記載の構造化された単位用量溶解性物品。
【請求項１３】
前記洗浄組成物が非イオン性界面活性剤を含む、先行するいずれかの請求項に記載の構造化された単位用量溶解性物品。
【請求項１４】
前記洗浄組成物が、アルカリ水酸化物、アミン、アルカノールアミン、およびそれらの混合物を含む、先行するいずれかの請求項に記載の構造化された単位用量溶解性物品。
【請求項１５】
アニオン性界面活性剤、香料、顔料、酵素、尿素、グリセリン、ポリアクリレートポリマー、高分子キレート化剤、粘土、天然ゴムなどのヒドロトロープをさらに含む、先行するいずれかの請求項に記載の構造化された単位用量溶解性物品。
【請求項１６】
構造化された単位用量溶解性物品を調製するプロセスであって、
ａ．
ｉ．洗浄組成物を、
ｉｉ．構造化剤組成物であって、
１．Ｃ８〜Ｃ２４脂肪酸またはそれらの混合物と、
２．ポリエチレングリコールから誘導される少なくとも１つの部分を含有する少なくとも１つのポリマーと、を含む、構造化剤組成物と混合することと、
ｂ．前記混合物から前記構造化された単位用量溶解性物品を形成することと、を含む、プロセス。
【請求項１７】
前記形成するステップが、前記混合物を成形することを含む、請求項１６に記載のプロセス。
【請求項１８】
前記成形することが、真空成形、射出成形、または圧縮成形である、請求項１７に記載のプロセス。
【請求項１９】
前記形成するステップが、前記混合物を形作ることを含む、請求項１６に記載のプロセス。
【請求項２０】
前記形作ることが３Ｄ印刷を含む、請求項１９に記載のプロセス。
【請求項２１】
前記形作ることが、表面上に少量の前記混合物を設定することと、前記混合物を乾燥および硬化させることと、前記硬化した混合物を所望の形状に形作ることと、を含む、請求項１９に記載のプロセス。
【請求項２２】
前記形成するステップが、前記混合物を押出することを含む、請求項１６に記載のプロセス。
【請求項２３】
前記形成ステップが、前記混合物をダイカットすることを含む、請求項１６に記載のプロセス。
【請求項２４】
前記構造化された単位用量溶解性物品が、コーティングでさらに被覆される、請求項１６〜２３のいずれかに記載のプロセス。
【発明の詳細な説明】
【背景技術】
【０００１】
開示される技術は、フィルムパッケージを使用しない単位用量洗浄製品のための製剤に関するものであり、フィルムパッケージは、基本洗浄組成物と、構造化剤と、を含む。
【０００２】
洗浄市場には、効果的な洗浄剤でもある、便利で魅力的な製品を消費者に提供する多くの革新が存在する。近年、ポッド洗剤などの単位用量洗浄製品が消費者から大きな注目を集めている。単位用量ポッド製品は、水溶性の改善、取り扱いの改善、ほこりおよび微粒子の減少、破砕性の点で、従来の単位用量洗剤錠剤よりも利点を発揮する。ポッド洗浄製品は、洗浄組成物が詰められた袋を使用する。袋は、水にさらされると高い粘度を有する水溶性フィルムで作製される。
【０００３】
ポッド洗浄製品は、色彩豊かで、子供の興味を引く場合があり、子供がポッドをおもちゃまたはキャンディーと間違えて遊ぶ、またはポッドを食べてしまうことさえある。ポッド内の高濃度の液体洗剤と、ポッドが包まれている粘着フィルムとのために、幼児が、目のやけどおよび窒息に苦しんだことが報告されている。より安全な製品が必要とされる。
【０００４】
さらに、ポッド洗剤の製造により、不良に包装されたポッドから高レベルの廃棄物が発生し、洗剤の漏れが生じるか、または再使用することができないポッドから過剰な量のフィルムが取り除かれる。
【０００５】
また、ポッド洗剤は、一定の容量を有し、消費者は、洗剤の使用量を制御することができない。
【０００６】
新しい単位用量洗浄製品が必要とされる。
【発明の概要】
【課題を解決するための手段】
【０００７】
したがって、開示される技術は、フィルムでの包装を必要としない単位用量製剤を提供することによって、安全性、廃棄物、および制御の問題を解決する。
【０００８】
開示される技術の一態様は、構造化された単位用量溶解性物品を対象とする。構造化された単位用量溶解性物品は、洗浄組成物と、構造化剤組成物と、を含有する。
【０００９】
一実施形態では、構造化剤組成物は、Ｃ６〜Ｃ３０脂肪酸またはそれらの混合物と、少なくとも１つの水溶性または水分散性ポリマーと、を含む。
【００１０】
一実施形態では、水溶性または水分散性ポリマーは、例えば、ポリ（エチレン）グリコールなどのポリ（アルキレン）グリコールから誘導されたモノマー単位を含むポリマーであり得る。
【００１１】
いくつかの実施形態では、水溶性または水分散性ポリマーは、約２００〜約１，０００，０００の数平均分子量を有するポリエチレングリコールポリマーであり得る。
【００１２】
いくつかの実施形態では、水溶性または水分散性ポリマーは、エチレンオキシド−プロピレンオキシド−ブチレンオキシドブロックコポリマーであり得る。
【００１３】
いくつかの実施形態では、水溶性または水分散性ポリマーは、置換オリゴまたは多糖類であり得、置換基は、ポリ（エチレン）グリコールから誘導される。
【００１４】
いくつかの実施形態では、水溶性または水分散性ポリマーは、ポリ（ビニル）アルコール、ポリ（ビニル）ピロリドン、ポリ（アクリルアミド）、またはそれらの組み合わせであり得る。
【００１５】
いくつかの実施形態では、水溶性または水分散性ポリマーは、例えば、メチルグルコース１モル当たり２〜１０００モルのポリエチレングリコールを有するポリエチレングリコールメチルグルコースポリマーなどのアルコキシ化ポリオールポリマーであり得る。いくつかの実施形態では、アルコキシ化ポリオールポリマーは、さらに、モノ−またはジ−アルキルＣ３〜Ｃ６０脂肪酸などの親油性試薬で誘導体化することができる。
【００１６】
いくつかの実施形態では、水溶性または水分散性ポリマーは、ポリエチレングリコールベースのポリウレタンであり得る。実施形態では、ポリウレタンは、ポリエステルポリオール、ポリエーテルポリオール、ポリカプロラクトンジオール、ポリブタジエンポリオールおよびそれらの混合物から誘導される単位、ならびにエンドキャップされたポリウレタンをさらに含む。
【００１７】
開示される技術の別の態様は、洗浄組成物を構造化剤組成物と混合し、混合物を構造化された単位用量溶解性物品に形成することによって構造化された単位用量溶解性物品を調製するプロセスを含む。
【００１８】
一実施形態では、構造化された単位用量溶解性物品は、例えば、真空成形、射出成形、または圧縮成形など、混合物を成形することによって形成することができる。
【００１９】
いくつかの実施形態では、構造化された単位用量溶解性物品を形成することは、３Ｄ印刷などにより混合物を形作るか、または表面上に小量の混合物を従来通りに形作り、混合物を乾燥および硬化させ、硬化した混合物を所望の形状に形作ることによって行われ得る。
【００２０】
実施形態では、構造化された単位用量溶解性物品は、混合物を所望の形状に押出することによって、または混合物をダイカットすることによって形成され得る。
【図面の簡単な説明】
【００２１】
【図１】成形構造化された単位用量溶解性物品の例を提供する。
【図２】分配カップ内の構造化された単位用量溶解性物品の例を提供する。
【図３】所与の長さで穿孔されるか、または何らかの方法で弱化された連続ストリップの例を提供する。
【図４】構造化された単位用量溶解性物品のクイックリリースフォームの例を提供する。
【図５】ツイストおよびプッシュ投与機構の形態の構造化された単位用量溶解性物品を提供する／
【図６】プラスチック浴槽、プラスチック袋、段ボール箱など、構造化された単位用量溶解性物品のための例示的な容器を提供する。
【発明を実施するための形態】
【００２２】
様々な好ましい特徴および実施形態が、非限定的な例示として以下に説明される。
【００２３】
本開示の一態様は、水性媒体と接触すると溶解して、洗浄組成物を媒体に送達する物品である。構造化された単位用量溶解性物品は、洗浄組成物と、組成物を物品に構造化することを可能にする構造化剤組成物と、を含む。
【００２４】
一般に、洗浄組成物は、当技術分野において既知であり、本明細書では特に限定されない。基本洗浄組成物は、例えば、洗浄性界面活性剤組成物を含む。洗浄組成物を製剤するために利用される洗浄性界面活性剤としては、例えば、アニオン性界面活性剤、両性界面活性剤、非イオン性界面活性剤、およびそれらの混合物が挙げられ得る。
【００２５】
アニオン性界面活性剤の非限定的な例は、ＭｃＣｕｔｃｈｅｏｎ´ｓ  Ｄｅｔｅｒｇｅｎｔｓ  ａｎｄ  Ｅｍｕｌｓｉｆｉｅｒｓ，  Ｎｏｒｔｈ  Ａｍｅｒｉｃａｎ  Ｅｄｉｔｉｏｎ，  １９９８，  ｐｕｂｌｉｓｈｅｄ  ｂｙ  Ａｌｌｕｒｅｄ  Ｐｕｂｌｉｓｈｉｎｇ  Ｃｏｒｐｏｒａｔｉｏｎ、およびＭｃＣｕｔｃｈｅｏｎ´ｓ，  Ｆｕｎｃｔｉｏｎａｌ  Ｍａｔｅｒｉａｌｓ，  Ｎｏｒｔｈ  Ａｍｅｒｉｃａｎ  Ｅｄｉｔｉｏｎ  （１９９２）に開示され、両方ともその全体が参照により本明細書に組み込まれる。アニオン性界面活性剤は、水性界面活性剤組成物の技術分野において既知であるか、または既に使用されているアニオン性界面活性剤のいずれであり得る。好適なアニオン性界面活性剤としては、アルキル硫酸塩、アルキルエーテル硫酸塩、アルキルスルホン酸塩、アルカリールスルホン酸塩、α−オレフィンスルホン酸塩、アルキルアミドスルホン酸塩、アルカリールポリエーテル硫酸塩、アルキルアミドエーテル硫酸塩、アルキルモノグリセリルエーテル硫酸塩、アルキルモノグリセリド硫酸塩、アルキルモノグリセリドスルホン酸塩、アルキルコハク酸塩、アルキルスルホコハク酸塩、アルキルスルホスクシナメート、アルキルエーテルスルホコハク酸塩、アルキルアミドスルホコハク酸塩、アルキルスルホ酢酸塩、アルキルリン酸塩、アルキルエーテルリン酸塩、アルキルエーテルカルボン酸塩、アルキルアミドエーテルカルボン酸塩、Ｎ−アルキルアミノ酸、Ｎ−アシルアミノ酸、アルキルペプチド、Ｎ−アシルタウレート、アルキルイセチオネート、カルボン酸塩（アシル基は脂肪酸から誘導される）、ならびにアルカリ金属、アルカリ土類金属、アンモニウム、アミン、およびそれらのトリエタノールアミン塩が挙げられるが、これらに限定されない。
【００２６】
一態様では、前述の塩のカチオン部分は、ナトリウム、カリウム、マグネシウム、アンモニウム、モノ−、ジ−、およびトリ−エタノールアミン塩、ならびにモノ−、ジ−、およびトリ−イソプロピルアミン塩から選択される。前述の界面活性剤のアルキルおよびアシル基は、一態様では約６〜約２４個の炭素原子、別の態様では８〜２２個の炭素原子、さらなる態様では約１２〜１８個の炭素原子を含み、飽和または不飽和であり得る。界面活性剤のアリール基は、フェニルまたはベンジルから選択される。上記のエーテル含有界面活性剤は、一態様では界面活性剤分子当たり１〜２０個のエチレンオキシドおよび／またはプロピレンオキシド単位を含有することができ、別の態様では界面活性剤分子当たり１〜１０個、１〜６個、または１〜３個のエチレンオキシド単位を含有することができる。
【００２７】
好適なアニオン性界面活性剤の例として、１、２、３、４、または５モルのエチレンオキシドでエトキシ化された、ラウレス硫酸、トリデセス硫酸、ミレス硫酸、Ｃ１２〜Ｃ１３パレス硫酸、Ｃ１２〜Ｃ１４パレス硫酸、およびＣ１２〜Ｃ１５パレス硫酸のナトリウム塩、カリウム塩、リチウム塩、マグネシウム塩、およびアンモニウム塩；ナトリウム、カリウム、リチウム、マグネシウム、アンモニウム、およびトリエタノールアミンラウリル硫酸、ココ硫酸、トリデシル硫酸、ミリスチル硫酸、セチル硫酸、セテアリル硫酸、ステアリル硫酸、オレイル硫酸、および獣脂硫酸、スルホコハク酸ラウリル二ナトリウム、スルホコハク酸ラウレス二ナトリウム、ココイルイセチオン酸ナトリウム、Ｃ１２〜Ｃ１４オレフィンスルホン酸ナトリウム、ラウレス−６カルボン酸ナトリウム、ココイルメチルタウリンナトリウム、ココイルグリシン酸ナトリウム、ミリスチルサルコシンナトリウム、ドデシルベンゼンスルホン酸ナトリウム、ココイルサルコシン酸ナトリウム、ココイルグルタミン酸ナトリウム、リン酸ミリスストイルグルタミン酸、リン酸トリエタノールアミンモノラウリル、ならびに脂肪酸石鹸（６〜３０個、または８〜２４個の炭素原子を含有する飽和および不飽和脂肪酸のナトリウム塩、カリウム塩、アンモニウム塩、およびトリエタノールアミン塩を含む）が挙げられるが、それらに限定されない。
【００２８】
本明細書で使用する場合、「両性界面活性剤」という用語は、両性界面活性剤のサブセットとして当業者に公知の双性イオン界面活性剤を包含することも意図している。両性界面活性剤の非限定的な例は、ＭｃＣｕｔｃｈｅｏｎ´ｓ  Ｄｅｔｅｒｇｅｎｔｓ  ａｎｄ  Ｅｍｕｌｓｉｆｉｅｒｓ，  Ｎｏｒｔｈ  Ａｍｅｒｉｃａｎ  Ｅｄｉｔｉｏｎ（上記）、およびＭｃＣｕｔｃｈｅｏｎ´ｓ，  Ｆｕｎｃｔｉｏｎａｌ  Ｍａｔｅｒｉａｌｓ，  Ｎｏｒｔｈ  Ａｍｅｒｉｃａｎ  Ｅｄｉｔｉｏｎ（上記）に開示され、両方ともその全体が参照により本明細書に組み込まれる。好適な例としては、アミノ酸（例えば、Ｎ−アルキルアミノ酸およびＮ−アシルアミノ酸）、ベタイン、スルタイン、およびアルキルアンフォカルボキシレートが挙げられるが、これらに限定されない。
【００２９】
本発明の実施に好適なアミノ酸ベースの界面活性剤は、下式によって表される界面活性剤を含む。
【化１】
2020536991.tif 000002
式中、Ｒ１は、１０〜２２個の炭素原子を有する飽和もしくは不飽和炭化水素基、または９〜３０個の炭素原子を有する飽和もしくは不飽和炭化水素基を表し、Ｙは水素またはメチルであり、Ｚは、水素、−ＣＨ３、−ＣＨ（ＣＨ３）２、−ＣＨ２ＣＨ（ＣＨ３）２、−ＣＨ（ＣＨ３）ＣＨ２ＣＨ３、−ＣＨ２Ｃ６Ｈ５、−ＣＨ２Ｃ６Ｈ４ＯＨ、−ＣＨ２ＯＨ、−ＣＨ（ＯＨ）ＣＨ３、−（ＣＨ２）４ＮＨ２、−（ＣＨ２）３ＮＨＣ（ＮＨ）ＮＨ２、−ＣＨ２Ｃ（Ｏ）Ｏ−Ｍ＋、および−（ＣＨ２）２Ｃ（Ｏ）Ｏ−Ｍ＋から選択される。Ｍは、アミン、アルカノールアミン、またはモノ−もしくはポリ−アルキレンアミンなどの塩形成カチオンである。一態様では、Ｒ１は、直鎖または分枝鎖Ｃ１０〜Ｃ２２アルキル基、直鎖または分枝鎖Ｃ１０〜Ｃ２２アルケニル基、Ｒ２Ｃ（Ｏ）−によって表されるアシル基から選択されるラジカルを表し、Ｒ２は、直鎖または分枝鎖Ｃ９〜Ｃ２２アルキル基、直鎖または分枝鎖Ｃ９〜Ｃ２２アルケニル基から選択される。一態様では、Ｍ＋は、ナトリウム、カリウム、アンモニウム、およびトリエタノールアミン（ＴＥＡ）から選択されるカチオンである。
【００３０】
アミノ酸界面活性剤としては、例えば、アラニン、アルギニン、アスパラギン酸、グルタミン酸、グリシン、イソロイシン、ロイシン、リジン、フェニルアラニン、セリン、チロシン、およびバリンなどのα−アミノ酸のアルキル化およびアシル化から誘導することができる。代表的なＮ−アシルアミノ酸界面活性剤としては、Ｎ−アシル化グルタミン酸のモノ−およびジ−カルボン酸塩（例えば、ナトリウム、カリウム、アンモニウム、およびＴＥＡ）、例えば、ココイルグルタミン酸ナトリウム、ラウロイルグルタミン酸ナトリウム、ミリストイルグルタミン酸ナトリウム、パルミトイルグルタミン酸ナトリウム、ステアロイルグルタミン酸ナトリウム、ココイルグルタミン酸二ナトリウム、ステアロイルグルタミン酸二ナトリウム、ココイルグルタミン酸カリウム、ラウロイルグルタミン酸カリウム、およびミリストイルグルタミン酸カリウム；Ｎ−アシル化アラニンのカルボン酸塩（例えば、ナトリウム、カリウム、アンモニウム、およびＴＥＡ）、例えば、ココイルアラニン酸ナトリウム、およびラウロイルアラニン酸ＴＥＡ）、Ｎ−アシル化グリシンのカルボン酸塩（例えば、ナトリウム、カリウム、アンモニウム、およびＴＥＡ）（例えば、ココイルグリシン酸ナトリウム、ココイルグリシン酸カリウム；Ｎ−アシル化サルコシンのカルボン酸塩（例、ナトリウム、カリウム、アンモニウム、およびＴＥＡ）、例えば、ラウロイルサルコシン酸ナトリウム、ココイルサルコシン酸ナトリウム、ミリストイルサルコシン酸ナトリウム、オレオイルサルコシン酸ナトリウム、およびラウロイルサルコシン酸アンモニウム、ならびに前述の界面活性剤の混合物が挙げられるが、それらに限定されない。
【００３１】
本発明において有用なベタインおよびスルタインは、アルキルベタイン、アルキルアミノベタイン、およびアルキルアミドベタイン、ならびに式によって表される対応するスルホベタイン（スルタイン）から選択され、
【化２】
2020536991.tif 000003
式中、Ｒ３は、Ｃ７〜Ｃ２２アルキルまたはアルケニル基であり、各Ｒ４は独立してＣ１〜Ｃ４アルキル基であり、Ｒ５はＣ１〜Ｃ５アルキレン基またはヒドロキシ置換Ｃ１〜Ｃ５アルキレン基であり、ｎは２〜６の整数であり、Ａはカルボキシレートまたはスルホネート基であり、Ｍは塩形成カチオンである。一態様では、Ｒ３は、Ｃ１１〜Ｃ１８アルキル基またはＣ１１〜Ｃ１８アルケニル基である。一態様では、Ｒ４はメチルである。一態様では、Ｒ５は、メチレン、エチレン、またはヒドロキシプロピレンである。一態様では、ｎは３である。さらなる態様では、Ｍは、ナトリウム、カリウム、マグネシウム、アンモニウム、ならびにモノ−、ジ−、およびトリ−エタノールアミンカチオンから選択される。
【００３２】
好適なベタインの例としては、ラウリルベタイン、ココベタイン、オレイルベタイン、ココヘキサデシルジメチルベタイン、ラウリルアミドプロピルベタイン、ココアミドプロピルベタイン（ＣＡＰＢ）、およびコカミドプロピルヒドロキシスルタインが挙げられるが、これらに限定されない。
【００３３】
アルキルアンフォアセテートおよびアルキルアンフォプロピオネートなどのアルキルアンフォカルボキシレート（一置換および二置換カルボキシレート）は、次の式によって表すことができる。
【化３】
2020536991.tif 000004
式中、Ｒ６は、Ｃ７〜Ｃ２２アルキルまたはアルケニル基であり、Ｒ７は、−ＣＨ２Ｃ（Ｏ）Ｏ−Ｍ＋、−ＣＨ２ＣＨ２Ｃ（Ｏ）Ｏ−Ｍ＋、または−ＣＨ２ＣＨ（ＯＨ）ＣＨ２ＳＯ３−Ｍ＋、Ｒ８は、水素または−ＣＨ２Ｃ（Ｏ）Ｏ−Ｍ＋であり、Ｍは、ナトリウム、カリウム、マグネシウム、アンモニウム、ならびにモノ−、ジ−およびトリ−エタノールアミンから選択されるカチオンである。
【００３４】
例示的なアルキルアンフォカルボキシレートとしては、ココアンフォ酢酸ナトリウム、ラウロアンフォ酢酸ナトリウム、カプリロアンフォ酢酸ナトリウム、ココアンフォ二酢酸二ナトリウム、ラウロアンフォ二酢酸二ナトリウム、カプリルアンフォ二酢酸二ナトリウム、カプリロアンフォ二酢酸二ナトリウム、ココアンフォ二プロピオン酸二ナトリウム、ラウロアンフォ二プロピオン酸二ナトリウム、カプリルアンフォ二プロピオン酸二ナトリウム、およびカプリロアンフォ二プロピオン酸二ナトリウムが挙げられるが、それらに限定されない。
【００３５】
非イオン性界面活性剤の非限定的な例は、ＭｃＣｕｔｃｈｅｏｎ´ｓ  Ｄｅｔｅｒｇｅｎｔｓ  ａｎｄ  Ｅｍｕｌｓｉｆｉｅｒｓ，  Ｎｏｒｔｈ  Ａｍｅｒｉｃａｎ  Ｅｄｉｔｉｏｎ，  １９９８（上記）、およびＭｃＣｕｔｃｈｅｏｎ´ｓ，  Ｆｕｎｃｔｉｏｎａｌ  Ｍａｔｅｒｉａｌｓ，  Ｎｏｒｔｈ  Ａｍｅｒｉｃａｎ（上記）に開示され、両方ともその全体が参照により本明細書に組み込まれる。非イオン性界面活性剤の追加の例は、Ｂａｒｒａｔらの米国特許第４，２８５，８４１号、およびＬｅｉｋｈｉｍらの米国特許第４，２８４，５３２号に記載されており、両方ともその全体が参照により本明細書に組み込まれる。非イオン性界面活性剤は、典型的には、長鎖アルキル基またはアルキル化アリール基などの疎水性部分と、様々な程度のエトキシ化および／またはプロポキシ化（例えば、１〜約５０）エトキシおよび／またはプロポキシ部分を含む親水性部分と、を有する。使用することができる非イオン性界面活性剤のいくつかのクラスの例としては、エトキシ化アルキルフェノール、エトキシ化およびプロポキシ化脂肪アルコール、メチルグルコースのポリエチレングリコールエーテル、ソルビトールのポリエチレングリコールエーテル、エチレンオキシド−プロピレンオキシドブロックコポリマー、脂肪酸のエトキシ化エステル、エチレンオキシドと長鎖アミンまたはアミドとの縮合生成物、エチレンオキシドとアルコールとの縮合生成物、ならびにそれらの混合物が挙げられるが、それらに限定されない。
【００３６】
好適な非イオン性界面活性剤としては、例えば、アルキル多糖類、アルコールエトキシレート、ブロックコポリマー、ヒマシ油エトキシレート、セト／オレイルアルコールエトキシレート、セテアリルアルコールエトキシレート、デシルアルコールエトキシレート、ジノニルフェノールエトキシレート、ドデシルフェノールエトキシレート、エンドキャップされたエトキシレート、エーテルアミン誘導体、エトキシ化アルカノールアミド、エチレングリコールエステル、脂肪酸アルカノールアミド、脂肪アルコールアルコキシレート、ラウリルアルコールエトキシレート、モノ分岐鎖アルコールエトキシレート、ノニルフェノールエトキシレート、オクチルフェノールエトキシレート、オレイルアミンエトキシレート、ランダムコポリマーアルコキシレート、ソルビタンエステルエトキシレート、ステアリン酸エトキシレート、ステアリルアミンエトキシレート、獣脂油脂肪酸エトキシレート、獣脂アミンエトキシレート、トリデカノールエトキシレート、アセチレンジオール、ポリオキシエチレンソルビトール、およびそれらの混合物が挙げられる。好適な非イオン性界面活性剤の様々な具体例としては、メチルグルセス−１０、ＰＥＧ−２０メチルグルコースジステアレート、ＰＥＧ−２０メチルグルコースセスキステアレート、セテス−８、セテス−１２、ドドキシノール−１２、ラウレス−１５、ＰＥＧ−２０ヒマシ油、ポリソルベート２０、ステアレス−２０、ポリオキシエチレン−１０セチルエーテル、ポリオキシエチレン−１０ステアリルエーテル、ポリオキシエチレン−２０セチルエーテル、ポリオキシエチレン−１０オレイルエーテル、ポリオキシエチレン−２０オレイルエーテル、エトキシ化ノニルフェノール、エトキシ化オクチルフェノール、エトキシ化ドデシルフェノール、またはエトキシ化脂肪（Ｃ６〜Ｃ２２）アルコール（３〜２０個のエチレンオキシド部分を含む）、ポリオキシエチレン−２０イソヘキサデシルエーテル、ポリオキシエチレン−２３グリセロールラウレート、ポリオキシエチレン−２０ステアリン酸グリセリル、ＰＰＧ−１０メチルグルコースエーテル、ＰＰＧ−２０メチルグルコースエーテル、ポリオキシエチレン−２０ソルビタンモノエステル、ポリオキシエチレン−８０ヒマシ油、ポリオキシエチレン−１５トリデシルエーテル、ポリオキシエチレン−６トリデシルエーテル、ラウレス−２、ラウレス−３、ラウレス−４、ＰＥＧ−３ヒマシ油、ＰＥＧ６００ジオレエート、ＰＥＧ４００ジオレエート、ポロキサマー１８８などのポロキサマー、ポリソルベート２１、ポリソルベート４０、ポリソルベート６０、ポリソルベート６１、ポリソルベート６５、ポリソルベート８０、ポリソルベート８１、ポリソルベート８５、ソルビタンカプリレート、ソルビタンココエート、ソルビタンジイソステアレート、ソルビタンジオレエート、ソルビタンジステアレート、ソルビタン脂肪酸エステル、ソルビタンイソステアレート、ソルビタンラウレート、ソルビタンオレアート、ソルビタンパルミテート、ソルビタンセスキイソステアレート、ソルビタンセスキオレアート、ソルビタンセスキステアラート、ソルビタンステアレート、ソルビタントリイソステアレート、ソルビタントリオレアート、ソルビタントリステアレート、ソルビタンウンデシレネート、またはそれらの混合物が挙げられるが、それらに限定されない。
【００３７】
アルキルグリコシド非イオン性界面活性剤も用いることができ、一般に、単糖類、または単糖類に加水分解可能な化合物を、酸性媒体中の脂肪アルコールなどのアルコールと反応させることによって調製される。例えば、米国特許第５，５２７，８９２号および第５，７７０，５４３号は、アルキルグリコシドおよび／またはそれらの調製方法を記載している。好適な例は、Ｇｌｕｃｏｐｏｎ（商標）２２０、２２５、４２５、６００、および６２５、ＰＬＡＮＴＡＣＡＲＥ（登録商標）、およびＰＬＡＮＴＡＰＯＮ（登録商標）の名称で市販されており、これらは全てペンシルバニア州アンブラーのＣｏｇｎｉｓ  Ｃｏｒｐｏｒａｔｉｏｎから入手可能である。
【００３８】
別の態様では、非イオン性界面活性剤としては、例えば、メチルグルセス−１０、メチルグルセス−２０、ＰＰＧ−１０メチルグルコースエーテル、およびＰＰＧ−２０メチルグルコースエーテル（それぞれＧｌｕｃａｍ（登録商標）Ｅ１０、Ｇｌｕｃａｍ（登録商標）Ｅ２０、Ｇｌｕｃａｍ（登録商標）Ｐ１０、およびＧｌｕｃａｍ（登録商標）Ｐ２０の商品名でＬｕｂｒｉｚｏｌ  Ａｄｖａｎｃｅｄ  Ｍａｔｅｒｉａｌｓ、Ｉｎｃ．から入手可能である）などのアルコキシ化メチルグルコシドが挙げられるが、これらに限定されない。疎水変性アルコキシ化メチルグルコシド、例えば、ＰＥＧ−１２０メチルグルコースジオレエート、ＰＥＧ−１２０メチルグルコーストリオレエート、およびＰＥＧ−２０メチルグルコースセスキステアレート（それぞれ商品名Ｇｌｕｃａｍａｔｅ（登録商標）ＤＯＥ−１２０、Ｇｌｕｃａｍａｔｅ（商標）ＬＴ、およびＧｌｕｃａｍａｔｅ（商標）ＳＳＥ−２０の商品名でＬｕｂｒｉｚｏｌ  Ａｄｖａｎｃｅｄ  Ｍａｔｅｒｉａｌｓ、Ｉｎｃ．から入手可能である）などもまた好適である。他の例示的な疎水変性アルコキシ化メチルグルコシドは、米国特許第６，５７３，３７５号および第６，７２７，３５７号に開示されており、その開示は参照によりその全体が本明細書に組み込まれる。
【００３９】
他の有用な非イオン性界面活性剤としては、ＰＥＧ−１０ジメチコン、ＰＥＧ−１２ジメチコン、ＰＥＧ−１４ジメチコン、ＰＥＧ−１７ジメチコン、ＰＰＧ−１２ジメチコン、およびＰＰＧ−１７ジメチコンなどの水溶性シリコーン、ならびにＢｉｓ−ＰＥＧ／ＰＰＧ−２０／２０ジメチコンビス−ＰＥＧ／ＰＰＧ−１６／１６ＰＥＧ／ＰＰＧ−１６／１６ジメチコン、ＰＥＧ／ＰＰＧ−１４／４ジメチコン、ＰＥＧ／ＰＰＧ−２０／２０ジメチコン、ＰＥＧ／ＰＰＧ−２０／２３ジメチコン、およびペルフルオロノニルエチルカルボキシデシルＰＥＧ−１０ジメチコンなどのそれらの誘導体化／官能化形態が挙げられる。
【００４０】
構造化された単位用量溶解性物品を製剤するのに利用される界面活性剤の総量（活性重量基準）は、製剤の最終目的に依存する。
【００４１】
一実施形態では、構造化された単位用量溶解性物品は、例えば、水などの溶媒の体積で単位用量を溶解することによって、家庭用または硬質表面用洗浄剤を調製する際の濃縮物として使用することができる。家庭用または硬質表面用洗浄剤の場合、構造化された単位用量溶解性物品は、家庭用または硬質表面用洗浄剤の総重量に基づいて、約０．２５重量％〜約１０重量％、約０．５重量％〜約９重量％、または１もしくは２重量％〜約８重量％の総界面活性剤を家庭用または硬質表面用洗浄剤製剤に提供するのに十分な界面活性剤を含有するべきである。
【００４２】
別の実施形態では、構造化された単位用量溶解性物品は、洗濯または食器洗浄用途における錠剤またはポッドとして使用することができる。食器洗浄用途としては、手洗い用食器製剤および自動洗い用食器製剤の両方が挙げられ得る。そのような洗濯および食器の用途では、総界面活性剤は、構造化された単位用量溶解性物品の総組成物の重量に基づいて、約１〜約７５重量％、または約５〜約７０重量％、またはさらに１０〜６５重量％、または約２０〜約６０重量％の範囲であり得る。
【００４３】
構造化された単位用量溶解性物品は、構造化剤組成物も含む。構造化剤組成物は、構造化された単位用量溶解性物品に構造を提供し、脂肪酸またはその混合物、および少なくとも１つの水溶性もしくは水分散性ポリマーまたはその混合物を含む。
【００４４】
脂肪酸としては、例えば、オレイン酸、デカン酸、カプリル酸、ラウリン酸、ミリスチン酸、パルミチン酸、ステアリン酸、またはそれらの組み合わせなどのＣ６〜Ｃ３０脂肪酸が挙げられ得る。
【００４５】
構造化された単位用量溶解性物品を製剤するのに利用されるＣ６〜Ｃ３０脂肪酸の量（活性重量基準）は、約３〜約４０重量％、またはさらに約５〜約３０重量％、いくつかの実施形態では、約６〜約２５重量％、またはさらに約８〜約２０重量％、または約１０〜約１５重量％の範囲であり得る。
【００４６】
水溶性または水分散性ポリマーは、例えば、親水コロイドポリマー、ポリ（アルキレン）グリコール含有ポリマー、ポリ（ビニル）アルコール含有ポリマー、ポリ（ビニル）ピロリドン含有ポリマー、ポリ（アクリルアミド）含有ポリマー、ポリ（ウレタン）含有ポリマー、ならびにそれらの誘導体および組み合わせであり得る。
【００４７】
水溶性または水分散性ポリマーは、例えば、親水コロイドポリマーであり得る。親水コロイドポリマーは、一般に水性製剤を増粘またはゲル化するのを補助する多数のヒドロキシル基を含有する親水性ポリマーである。親水コロイドポリマーは、植物、動物、微生物、または合成起源のものであり得、例えば、デンプン、セルロース、ゼラチン、アルギン酸塩、キサンタン、カッシアガムなどを含み、かつそれらの誘導体を含む、単糖またはオリゴ糖、多糖などの天然の水溶性および水膨潤性ポリマーを含むことができる。
【００４８】
ポリ（アルキレン）グリコールから誘導された単位を含有するポリマーは、水溶性または水分散性ポリマーとして使用され得る。ポリ（アルキレン）グリコール単位は、例えば、ポリエチレングリコール、ポリプロピレングリコール、ポリブチレングリコール、またはそれらの混合物であり得るが、ポリエチレングリコール誘導単位を含有するポリマーが特に好ましい。
【００４９】
一実施形態では、水溶性または水分散性ポリマーは、ポリエチレングリコール標準を用いたＧＰＣによって測定されるとき、約２００〜約１，０００，０００の数平均分子量（「Ｍｎ」）を有するポリエチレングリコールポリマーであり得るが、約５００〜約７５０，０００、または約１０００〜約５００，０００、またはさらに約１７５０〜約１２５，０００、または約２０００〜約５０，０００、またはさらに２５００〜約２５，０００、または約３０００〜約１０，００００のポリエチレングリコールポリマーも使用され得る。
【００５０】
水溶性または水分散性ポリマーはまた、ポリ（アルキレン）グリコール単位を含有するブロックコポリマーであり得る。例えば、一態様では、約２〜約２０００の、別の態様では約５〜約１０００の、およびさらなる態様では約１０〜約５００のエチレン、プロピレン、および／またはブチレンオキシド単位を含有するポリマーが、エチレンオキシド、プロピレンオキシド、および／またはブチレンオキシド単位のランダムもしくはブロック配列で配置される。
【００５１】
水溶性または水分散性ポリマーはまた、置換ポリオールであり得る。
【００５２】
置換ポリオールでの使用に好適なポリオールは、分子当たり３個以上のヒドロキシル基を有し、かつ以下に記載する置換試薬と反応する任意の化合物を含む。一般的な例としては、グリセロール、ポリグリセロール、糖アルコール（例、ソルビトールまたはソルビタン）、およびオリゴ糖（２〜１０の単糖単位を有する糖ポリマー）または多糖（１１〜２５０単位、または１１〜２００、または１１〜１５０単位などの、１０を超える単糖単位を有する糖ポリマー）が挙げられる。オリゴ糖および多糖が誘導され得る単糖としては、例えば、グルコース、フルクトース、マンノース、およびガラクトースが挙げられる。特定のオリゴ糖の例としては、スクロース、マルトース、およびラクトースが挙げられる。多糖類としては、例えば、デンプンおよびセルロースが挙げられる。最もよく使用される糖類基は、多くの場合、グルコースまたはガラクトースである。一実施形態では、多糖としては、ポリグルコースポリマーが挙げられる。
【００５３】
ポリオールのさらなる例としては、トリメチロールエタン［２−メチル−２−（ヒドロキシメチル）−１，３−プロパンジオール］、トリメチロールプロパン［２−エチル−２−（ヒドロキシ−メチル）−１，３−プロパンジオール］、ペンタエリスリトール（２，２−ジメチロール−１，３−プロパンジオール）、ジグリセロール（グリセロール二量体）、ジペンタエリスリトール、グリセロールなどが挙げられるが、これらに限定されない。ポリオールはまた、例えば、グルコース誘導体（例えば、グルコシド、ガラクトシド、単糖、オリゴ糖（分子およびスクロース当たり約１０〜９９までの糖繰り返し単位を有する）が挙げられるがこれらに限定されないグリコシド）であり得る。さらなるポリオール材料としては、グルコシド（例えば、メチルグルコシド、エチルグルコシド、プロピルグルコシド、ブチルグルコシド、およびアミルグルコシドが挙げられるがこれらに限定されないアルキルグルコシド）が挙げられるが、これに限定されない。そのようなポリオールは市販されている。
【００５４】
置換ポリオールの置換基は、例えば、ポリ（アルキレン）グリコール（ポリエチレングリコールなど）、およびポリマー（ポリ（ビニル）アルコール、ポリ（ビニル）ピロリドン、ポリ（アクリルアミド）、またはそれらの組み合わせなど）から誘導することができる。
【００５５】
一実施形態では、置換基はポリ（アルキレン）グリコールから誘導される。前述のポリオールをアルコキシ化するための好適な試薬としては、アルキレンオキシド（例えば、エチレンオキシド、プロピレンオキシド、ブチレンオキシド、およびそれらの混合物）が挙げられるが、これに限定されない。高級アルキレンオキシドを含むがこれに限定されない他のアルコキシ化試薬も使用することができる。多数のアルキレンオキシドは、市販されており、ポリオールのアルコキシ化に使用するのに好適であるだろう。アルコキシ化の量は、典型的には、ポリオール１モル当たり約１０〜約１０００、または約２０〜約５００、さらには約３０〜約３００モルのアルキレンオキシドである。ここで、ならびに本明細書および請求項の他の場所で、個々の数値または限界値は、組み合わせて、追加の非開示および／または非記載の範囲を形成することができる。例えば、直接アルコキシ化によってポリオールをアルコキシ化するための方法は、当業者には既知であり、そのような詳細な考察は、本明細書では簡潔にするために省略する。一実施形態では、置換基は、エチレンオキシドから誘導することができる。
【００５６】
一実施形態では、置換ポリオールは、例えば、メチルグルコース１モル当たり約２〜約１０００モルのポリエチレングリコールを有するポリエチレングリコールメチルグルコースポリマーなどのアルコキシ化糖類であり得る。
【００５７】
置換ポリオールは、さらに親油性試薬で誘導体化され、および／または架橋剤で架橋され得る。ポリオールを誘導体化するのに好適な親油性試薬は、分子当たり約６〜約３０個、または約１２〜約２６個、またはさらには約１６〜約２２個の炭素原子を有する炭化水素または置換炭化水素部分を含むことができる。親油性試薬の特定の構造は重要ではなく、例えば、アルキル、アリール、アルキルアリール、アルケニルであり得、環状、分岐状、または直鎖状であり得る。典型的には、親油性試薬は、脂肪酸、脂肪エステル、エポキシド、ハロゲン化物グリシジルエーテル、または植物油もしくは動物油である。試薬は、典型的には、ポリオールへのエステル結合またはエーテル結合を提供する。別の言い方をすれば、例えば、グルコース誘導体の場合、エーテルまたはエステルは、典型的には、ポリオキシアルキレン鎖を介して間接的にグルコース誘導体に結合している。好適な脂肪酸親油性試薬の例としては、直鎖または分岐鎖である天然または合成の飽和または不飽和酸が挙げられ得る。脂肪酸は、単独でまたは混合物として使用することができる。天然脂肪酸としては、例えば、カプロン酸、エナント酸、カプリル酸、ペラルゴン酸、デカン酸、ラウリン酸、ミリスチン酸、パルミチン酸、ステアリン酸、リノール酸、オレイン酸、カプリン酸、およびウンデカン酸などの飽和または不飽和直鎖脂肪酸が挙げられ、これは、典型的には、ココナッツ油、パーム油、獣脂、アマニ油、ヒマシ油、トール油、および大豆油などの植物油および動物油を加水分解することによって得られる。合成脂肪酸の例としては、オレフィンポリマーを酸化することによって調製された直鎖または分岐脂肪酸が挙げられる。例えば、γ−リノレン酸などの微生物から誘導される脂肪酸を使用することも可能である。また、脂肪酸の低級アルキルエステルとしては、上記脂肪酸のメチルエステル、エチルエステル、またはプロピルエステルなどの１〜８個の炭素原子を有するアルキルエステルを使用することができる。他の好適な親油性試薬の例としては、グリシジルエーテル（例えば、ノニルフェニルグリシジルエーテルまたはドデシルフェニルグリシジルエーテル）、α−オレフィンエポキシド（例えば、１，２−エポキシヘキサデカンおよびそれらのそれぞれのクロロヒドリン）、またはハロゲン化アルキル（例えば、ドデシルブロミド）、ならびに上記の植物油および動物油が挙げられる。脂肪酸のハロゲン化生成物も親油性試薬として使用することができる。一実施形態では、アルコキシ化ポリマーは、モノ−またはジ−アルキルＣ３〜Ｃ６０脂肪酸などの親油性試薬で誘導体化することができる。
【００５８】
典型的には、親油性置換基の平均置換レベルは、ポリオール１モル当たり約３、例えば、約２．５〜約４、または約２．５〜約３．９、より好ましくは約２．８〜３．６モルである。
【００５９】
置換ポリオールの架橋剤は、二塩基性脂肪酸を含む。二塩基性脂肪酸自体は、イオン化により１個の分子から２個の水素イオンを生成するものであれば特に限定されない。言い換えれば、飽和脂肪族二塩基性脂肪酸（例えば、アジピン酸、セバシン酸、アゼライン酸、コハク酸などを含む）、または不飽和脂肪族二塩基酸（例えば、フタル酸、マレイン酸など）など、１分子中に２個のカルボキシル基を有する任意の炭化水素化合物（二塩基性脂肪酸）を使用することができる。二塩基性脂肪酸は、天然源から誘導するか、または合成的に調製することができる。天然二塩基性脂肪酸は、一般に、例えば、分子当たり約８〜３０個、または約１２〜２６個、またはさらに約１６〜２２個の炭素原子を含有する。合成二塩基性脂肪酸は、３０個を超える炭素原子、例えば３２〜６０個、または３４〜５５個などの炭素原子を有するものである可能性が高いだろう。
【００６０】
少なくとも１つの水溶性または水分散性ポリマーとしては、ポリエステルポリオール、ポリエーテルポリオール、ポリカプロラクトンジオール、ポリブタジエンポリオール、およびそれらの混合物から誘導される単位、ならびにエンドキャップされたポリウレタンを含む熱可塑性ポリウレタン（「ＴＰＵ」）も挙げることができる。
【００６１】
ＴＰＵは、（ｉ）ポリイソシアネート成分、（ｉｉ）ポリオール成分、ならびに任意選択的に（ｉｉｉ）連鎖延長剤成分および／または連鎖停止剤成分の反応生成物であり得る。
【００６２】
ポリイソシアネート成分は１つ以上のポリイソシアネートを含むことができる。いくつかの実施形態では、ポリイソシアネート成分は１つ以上のジイソシアネートを含む。好適なポリイソシアネートとしては、芳香族ジイソシアネート、脂肪族ジイソシアネート、またはそれらの組み合わせが挙げられる。有用なポリイソシアネートの例としては、４，４´−メチレンビス（フェニルイソシアネート）（ＭＤＩ）、ｍ−キシレンジイソシアネート（ＸＤＩ）、フェニレン−１，４−ジイソシアネート、ナフタレン−１，５−ジイソシアネート、およびトルエンジイソシアネート（ＴＤＩ）などの芳香族ジイソシアネートと、イソホロンジイソシアネート（ＩＰＤＩ）、１，４−シクロヘキシルジイソシアネート（ＣＨＤＩ）、デカン−１，１０−ジイソシアネート、リジンジイソシアネート（ＬＤＩ）、１，４−ブタンジイソシアネート（ＢＤＩ）、キシレンジイソシアネート（ＸＤＩ）、水素化ＸＤＩ（Ｈ６ＸＤＩ）、およびジシクロヘキシルメタン−４，４´−ジイソシアネート（Ｈ１２ＭＤＩ）などの脂肪族ジイソシアネートと、が挙げられる。２個以上のポリイソシアネートの混合物を使用し得る。いくつかの実施形態では、ポリイソシアネートはＭＤＩおよび／またはＨ１２ＭＤＩである。いくつかの実施形態では、ポリイソシアネートはＭＤＩを含む。いくつかの実施形態では、ポリイソシアネートはＨ１２ＭＤＩを含み得る。
【００６３】
ポリイソシアネートは、一般に、約０．５〜約３０重量％のＴＰＵ、またはさらに約１〜約２０重量％、または約１．５〜約１５重量％、または約２．０〜約１０重量％の量で、ＴＰＵに含めることができる。
【００６４】
ＴＰＵ組成物中のポリオール成分としては、ポリエーテルポリオール、ポリエステルポリオール、ポリカプロラクトンジオール、ポリブタジエンポリオール、およびそれらの混合物が挙げられ得る。
【００６５】
好適なポリエステルポリオールは、約５００〜約１０，０００、約７００〜約５，０００、または約７００〜約４，０００の数平均分子量（Ｍｎ）を有する線状ポリエステルを含むことができ、一般に１．３未満または０．５未満の酸価を一般に有する。分子量は、末端官能基のアッセイによって決定され、数平均分子量に関連している。好適なポリエステルポリオールとしては、ε−カプロラクトンおよび二官能性開始剤（ジエチレングリコールなど）から典型的には作製されるポリカプロラクトンなどの様々なラクトンが挙げられ得る。所望のポリエステルのジカルボン酸は、脂肪族、脂環式、芳香族、またはそれらの組み合わせであり得る。単独または混合物で使用され得る好適なジカルボン酸は、一般に合計４〜１５個の炭素原子を有し、コハク酸、グルタル酸、アジピン酸、ピメリン酸、スベリン酸、アゼライン酸、セバシン酸、ドデカン二酸、イソフタル酸、テレフタル酸、シクロヘキサンジカルボン酸などが含まれる。無水フタル酸、無水テトラヒドロフタル酸などの上記のジカルボン酸の無水物も使用することができる。アジピン酸が好ましい酸である。反応して、望ましいポリエステルポリオールを形成するグリコールは、脂肪族、芳香族、またはそれらの組み合わせとすることができ、連鎖延長剤の節で上述したグリコールのいずれかを含み、合計で２〜２０個または２〜１２個の炭素原子を有する。好適な例としては、エチレングリコール、１，２−プロパンジオール、１，３−プロパンジオール、１，３−ブタンジオール、１，４−ブタンジオール、１，５−ペンタンジオール、１，６−ヘキサンジオール、２，２−ジメチル−１，３−プロパンジオール、１，４−シクロヘキサンジメタノール、デカメチレングリコール、ドデカメチレングリコール、およびそれらの混合物が挙げられる。
【００６６】
好適なポリエーテルポリオールとしては、合計２〜１５個の炭素原子を有するジオールまたはポリオール、いくつかの実施形態では、２〜６個の炭素原子を有するアルキレンオキシド（典型的には、エチレンオキシドもしくはプロピレンオキシドまたはそれらの混合物）を含むエーテルと反応するアルキルジオールまたはグリコールから誘導されるポリエーテルポリオールが挙げられる。例えば、ヒドロキシル官能性ポリエーテルは、最初にプロピレングリコールをプロピレンオキシドと反応させ、続いてエチレンオキシドと反応させることによって生成することができる。エチレンオキシドから生じる第一級ヒドロキシル基は、第二級ヒドロキシル基よりも反応性が高いため、好ましい。有用な市販のポリエーテルポリオールとしては、エチレングリコールと反応したエチレンオキシドを含むポリ（エチレングリコール）、プロピレングリコールと反応したプロピレンオキシドを含むポリプロピレングリコール）、テトラヒドロフランと反応した水を含むポリ（テトラメチレングリコール）（ＰＴＭＥＧ）が挙げられる。いくつかの実施形態では、ポリエーテルポリオールは、ＰＴＭＥＧを含む。好適なポリエーテルポリオールとしては、アルキレンオキシドのポリアミド付加物も挙げられ、例えば、エチレンジアミンとプロピレンオキシドとの反応生成物を含むエチレンジアミン付加物、ジエチレントリアミンとプロピレンオキシドとの反応生成物を含むジエチレントリアミン付加物、および類似のポリアミド型ポリエーテルポリオールも挙げられ得る。本発明では、コポリエーテルも利用することができる。典型的なコポリエーテルとしては、ＴＨＦおよびエチレンオキシドまたはＴＨＦおよびプロピレンオキシドの反応生成物が挙げられる。これらは、ＢＡＳＦから、ブロックコポリマーのＰｏｌｙ  ＴＨＦ  Ｂ、およびランダムコポリマーのポリＴＨＦ  Ｒとして入手可能である。様々なポリエーテルポリオールは、一般に、約７００〜約１０，０００、約１０００〜約５０００、または約１０００から約２５００などの約７００より大きい平均分子量である末端官能基のアッセイによって決定される数平均分子量（Ｍｎ）を有する。いくつかの実施形態では、ポリエーテルポリオールは、２０００Ｍｎおよび１０００ＭｎのＰＴＭＥＧのブレンドなどの、２つ以上の異なる分子量ポリエーテルのブレンドを含む。
【００６７】
ポリオール成分としては、存在する場合、ポリ（エチレングリコール）、ポリ（テトラメチレングリコール）、ポリ（トリメチレンオキシド）、エチレンオキシドキャップドポリ（プロピレングリコール）、ポリ（ブチレンアジペート）、ポリ（エチレンアジペート）、ポリ（ヘキサメチレンアジペート）、ポリ（テトラメチレン−ｃｏ−ヘキサメチレンアジペート）、ポリ（３−メチル−１，５−ペンタメチレンアジペート）、ポリカプロラクトンジオール、ポリ（ヘキサメチレンカーボネート）グリコール、ポリ（ペンタメチレンカーボネート）グリコール、ポリ（トリメチレンカーボネート）グリコール、二量体脂肪酸ベースのポリエステルポリオール、植物油ベースのポリオール、またはそれらの任意の組み合わせが挙げられる。
【００６８】
いくつかの実施形態では、ポリオール成分としては、ポリエチレングリコールなどのポリエーテルポリオールが挙げられる。
【００６９】
ＴＰＵ組成物はまた、任意選択的に連鎖延長剤成分を含むことができる。連鎖延長剤としては、ジオール、ジアミン、およびそれらの組み合わせが挙げられる。好適な連鎖延長剤は、比較的小さなポリヒドロキシ化合物、例えば、２〜２０個、または２〜１２個、または２〜１０個の炭素原子を有する低級脂肪族または短鎖グリコールを含む。好適な例としては、エチレングリコール、ジエチレングリコール、プロピレングリコール、ジプロピレングリコール、１，４−ブタンジオール（ＢＤＯ）、１，６−ヘキサンジオール（ＨＤＯ）、１，３−ブタンジオール、１，５−ペンタンジオール、ネオペンチルグリコール、１，４−シクロヘキサンジメタノール（ＣＨＤＭ）、２，２−ビス［４−（２−ヒドロキシエトキシル）フェニル］プロパン（ＨＥＰＰ）、ヘキサメチレンジオール、ヘプタンジオール、ノナンジオール、ドデカンジオール、エチレンジアミン、ブタンジアミン、ヘキサメチレンジアミン、およびヒドロキシエチルレゾルシノール（ＨＥＲ）など、ならびにそれらの混合物が挙げられる。いくつかの実施形態では、連鎖延長剤としては、ＢＤＯ、ＨＤＯ、またはそれらの組み合わせが挙げられる。いくつかの実施形態では、連鎖延長剤としては、ＢＤＯが挙げられる。芳香族グリコールなどの他のグリコールを使用することもできるが、いくつかの実施形態では、ＴＰＵはそのような材料を本質的に含まないか、または完全に含まない。いくつかの実施形態では、連鎖延長剤成分としては、存在する場合、エチレングリコール、ブタンジオール、ヘキサメチレンジオール、ペンタンジオール、ヘプタンジオール、ノナンジオール、ドデカンジオール、エチレンジアミン、ブタンジアミン、ヘキサメチレンジアミン、またはそれらの組み合わせが挙げられる。
【００７０】
ＴＰＵはまた、任意選択的に連鎖停止剤成分を含むことができる。連鎖停止剤成分は、ＴＰＵの連鎖を停止させることができる単一のＮＣＯ反応性官能基を有する化合物を含むことができる。好適な官能基としては、ヒドロキシル（アルコール）官能基、第一級アミン官能基、第二級アミン官能基、無水物官能基、エポキシ官能基、チオール官能基、カルボキシ（カルボン酸）官能基、イソシアネート官能基、またはそれらの組み合わせが挙げられる。いくつかの実施形態では、連鎖停止剤成分としては、ポリエチレンモノアルコール、エトキシ化ポリエチレンモノアルコール、カルボン酸末端ポリエチレン、またはそれらの任意の組み合わせが挙げられる。
【００７１】
いくつかの実施形態では、ＴＰＵは、ＭＤＩ、Ｈ１２ＭＤＩ、ＨＤＩ、ＴＤＩ、ＩＰＤＩ、ＬＤＩ、ＢＤＩ、ＰＤＩ、ＴＯＤＩ、ＮＤＩ、またはそれらの組み合わせを含むジイソシアネートなどのポリイソシアネート成分を、一般に、ＴＰＵの約０．５〜約３０重量％、またはさらには約１〜約２０重量％、または約１．５〜約１５重量％、または約２．０〜約１０重量％の量で含み、ポリエチレングリコールを含むポリエーテルポリオールなどのポリオール成分を、一般に、ＴＰＵの約４０〜約９９重量％、または約６０〜約９８重量％、または約７０〜約９７重量％、または約８０〜約９６重量％の量で含み、存在する場合、エチレングリコール、ブタンジオール、ヘキサメチレンジオール、ペンタンジオール、ヘプタンジオール、ノナンジオール、ドデカンジオール、エチレンジアミン、ブタンジアミン、ヘキサメチレンジアミン、またはそれらの組み合わせを含む、ジオール、ジアミン、またはそれらの組み合わせなどの連鎖延長剤成分を、一般に、ＴＰＵの約０．５〜約３０重量％、またはさらには約１〜約２０重量％、または約１．５〜約１５重量％、または約２．０〜約１０重量％の量で含むことができる。
【００７２】
構造化された単位用量溶解性物品としては、例えば、ヒドロトロープ、香料、植物性薬品、顔料、不溶性物質、キレート剤、天然多糖類、ビルダー、殺生剤、酵素、発泡安定剤、蛍光美白剤、分散剤、汚れ放出ポリマーなどの他の添加物も挙げられる。
【００７３】
相分離を防止するために、ヒドロトロープ（水溶液に可溶性であり、かつ有機化合物の水溶性を増大する化合物）が、多くの場合添加される。一般的なヒドロトロープとしては、尿素；低分子量アルカノール；グリコール；およびトルエン、キシレン、またはクメンのアンモニウム、カリウム、またはナトリウム塩；またはキシレンスルホン酸ナトリウムなどのベンゼンスルホン酸エチルが挙げられる。後者のヒドロトロープはより高価になる傾向があるため、尿素（（ＮＨ２）２ＣＯ）または尿素−アルカノール混合物などの安価なヒドロトロープが費用効率の高い代替品として頻繁に使用される。しかしながら、より高価なヒドロトロープの安定効果を達成するには、より多くの量のこれらのヒドロトロープが必要とされる。他のヒドロトロープとしては、例えば、トリエタノールアミン、ベタイン、アルキルグルコシド、ポリアルキルグルコシド、グリセリン、特定の短鎖有機アルコール（例えば、エタノール）、プロピレングリコール、およびより長いアルキル鎖（例えば、Ｃ１０〜Ｃ１４）アミンオキシドなどの化合物が挙げられる。
【００７４】
構造化された単位用量溶解性物品はまた、香料を含むことができる。好適な香油としては、天然原料（エッセンシャルオイル、コンクリート、無水物、樹脂、レジノイド、バルサム、およびチンキなど）からの抽出物、炭化水素（例えば、３−カレンなど）、α−ピネン、β−ピネン、α−テルピネン、γ−テルピネン、ｐ−シメン、ビサボレン、カンフェン、カリオフィレン、セドレン、ファルネセン、リモネン、ロンギホレン、ミルセン、オシメン、バレンセン、（Ｅ、Ｚ）−１，３，５−ウンデカトリエン、スチレン、ジフェニルメタン、脂肪族アルコール、環状アルコール、脂環式アルコール、脂肪族ケトン、非環式テルペンアルコール、環状テルペンアルコール、環状テルペンアルデヒドおよびケトン、ならびにそれらの混合物が挙げられる。使用され得る他の香料および香水成分としては、天然および合成の香料、香水、香り、およびエッセンス、ならびに香料を放出する任意の他の物質が挙げられる。天然香料としては、植物起源のもの、例えば、花（例えば、ユリ、ラベンダー、バラ、ジャスミン、ネロリ、イランイラン）、茎および葉（ゼラニウム、パチチョリ、プチグレイン、ペパーミント）、果物（アニシード、コリアンダー、ウイキョウ、ネズ）、果皮（ベルガモット、レモン、オレンジ）、根（メイス、アンジェリカ、セロリ、カルダモン、コスタス、アイリス、ショウブ）、木材（マツ、ビャクダン、ユソウボク、スギ、ローズウッド、シナモン）、ハーブおよび草（タラゴン、レモングラス、セージ、タイム）、針葉樹および小枝（トウヒ、パイン、ヨーロッパアカマツ、ストーンパイン）、ならびに樹脂およびバルサム（ガルバヌム、エレミ、ベンゾイン、ミルラ、フランキンセンス、オポポナックス）からの油抽出物など、および動物起源のもの、例えば、ジャコウジカ、シベット、カストリウム、アンバーグリスなど、ならびにこれらの混合物がある。合成香料および香水の例は、芳香族エステル、エーテル、アルデヒド、ケトン、アルコール、および炭化水素であり、これらには、酢酸ベンジル、フェノキシエチルイソブチレート、ｐ−ｔｅｒｔ−ブチルシクロヘキシルアセテート、リナリルアセテート、ジメチルベンジルカルビニルアセテート、フェニルエチルアセテート、リナリルベンゾエート、ベンジルホルマート、エチルメチルフェニルグリシナート、アリルシクロヘキシルプロピオナート、スチラリルプロピオナート、およびベンジルサリチレート；ベンジルエチルエーテル；８〜１８個の炭素原子を有する直鎖アルカナール、シトラール、シトロネラール、シトロネリルオキシアルデヒド、シクラメンアルデヒド、ヒドロキシシトロネラル、リリアル、およびブーゲオナール（ｂｏｕｇｅｏｎａｌ）；イオノン化合物、α−イソメチルイオノン、およびメチルセドリルケトン；アネトール、シトロネロール、オイゲノール、イソオイゲノール、ゲラニオール、ラバンデュロール、ネオリドール、リナロール、フェニルエチルアルコール、およびテルピネオール、アルファ−ピネン、テルペン（例えば、リモネン）、およびバルサム、ならびにこれらの混合物が含まれるが、これらに限定されない。
【００７５】
構造化された単位用量溶解性物品はまた、植物性薬品を含むことができる。好適な植物性薬品としては、例えば、エキナセア（例えば、アングスティフォリア、プルプレア、パリダ種）、ユッカグラウカ、ヤナギソウ、バジルの葉、トルコオレガノ、ニンジンの根、グレープフルーツ、フェンネル種子、ローズマリー、ターメリック、タイム、ブルーベリー、ピーマン、ブラックベリー、スピルリナ、クロフサスグリの実、茶葉、例えば、中国茶、紅茶（例えば、フラワリーオレンジペコー、ゴールデンフラワリーオレンジペコー、ファインティッピーゴールデンフラワリーオレンジペコー変種）、緑茶（例えば、日本茶、グリーンダージリン）、ウーロン茶、コーヒー種子、タンポポの根、ナツメヤシの実、イチョウの葉、緑茶、サンザシの実、甘草、セージ、イチゴ、スイートピー、トマト、バニラの実、コンフリー、アルニカ、ツボクサ、ヤグルマギク、トチノキ、ツタ、モクレン、カラスムギ、パンジー、タツナミソウ、シーバックソーン、ホワイトネトル、およびウィッチヘーゼルからの抽出物が挙げられ得る。植物由来抽出物としては、例えば、クロロゲン酸、グルタチオン、グリセリン、ネオヘスペリジン、ケルセチン、ルチン、モリン、ミリセチン、アブサン、およびカモミールも挙げられ得る。
【００７６】
好適な微粒子材料は顔料を含む。例示的な顔料は、金属化合物または半金属化合物であり、イオン、非イオンまたは酸化形態で使用され得る。顔料は、個々または混合物のいずれかの形態であり、または個々の混合酸化物もしくはそれらの混合物（混合酸化物と純粋酸化物との混合物を含む）としての形態であり得る。例としては、酸化チタン（例えば、ＴｉＯ２）、酸化亜鉛（例えば、ＺｎＯ）、酸化アルミニウム（例えば、Ａｌ２Ｏ３）、酸化鉄（例えば、Ｆｅ２Ｏ３）、酸化マンガン（例えば、ＭｎＯ）、酸化ケイ素（例えば、ＳｉＯ２）、ケイ酸塩、酸化セリウム、酸化ジルコニウム（例えば、ＺｒＯ２）、硫酸バリウム（ＢａＳＯ４）、ナイロン−１２、およびそれらの混合物がある。顔料の他の例としては、温度によって色を変化させるサーモクロミック染料、炭酸カルシウム、水酸化アルミニウム、硫酸カルシウム、カオリン、フェロシアン化第二鉄アンモニウム、炭酸マグネシウム、カルミン、硫酸バリウム、マイカ、オキシ塩化ビスマス、ステアリン酸亜鉛、マンガンバイオレット、酸化クロム、二酸化チタンナノ粒子、酸化バリウム、ウルトラマリンブルー、クエン酸ビスマス、ヒドロキシアパタイト、ケイ酸ジルコニウム、カーボンブラック粒子などが挙げられる。
【００７７】
構造化された単位用量溶解性物品において使用するのに好適な不溶性材料としては、粘土、膨潤性粘土、ラポナイト、気泡、リポソーム、マイクロスポンジ、ビーズ、およびフレークが挙げられるが、これらに限定されない。ビーズ、フレークおよびカプセルは、審美的外観のために組成物に含めることができるか、または有益剤を送達する際のマイクロカプセル材料として機能することができる。例示的なビーズ成分としては、寒天ビーズ、アルギン酸ビーズ、ホホバビーズ、ゼラチンビーズ、Ｓｔｙｒｏｆｏａｍ（商標）ビーズ、ポリアクリレート、ポリメチルメタクリレート（ＰＭＭＡ）、ポリエチレンビーズが挙げられるが、これらに限定されない。
【００７８】
キレート剤を使用して、構造化された単位用量溶解性物品を金属イオンの有害な影響に対して安定化させることができる。使用される場合、好適なキレート剤は、ＥＤＴＡ（エチレンジアミン四酢酸）、およびＥＤＴＡ二ナトリウムなどのその塩、クエン酸およびその塩、シクロデキストリンなど、ならびにそれらの混合物を含む。そのような好適なキレート剤は、典型的には、０．００１重量％〜３重量％、例えば、０．０１重量％〜２重量％、または０．０１重量％〜１重量％の組成物を含む。
【００７９】
構造化された単位用量溶解性物品としては、ペクチンに加えて、アラビアゴム、ガハッチゴム、およびトラガカントゴムなどの樹木および潅木浸出液から得られる天然多糖類；アルギン酸塩およびカラギーナンなどの海藻抽出物（例えば、ラムダ、カッパ、イオタ、およびそれらの塩）；寒天などの藻類抽出物；キサンタン、ジェラン、およびウェランなどの微生物多糖；エチルヘキシルエチルセルロース、ヒドロキシブチルメチルセルロース、ヒドロキシエチルメチルセルロース、ヒドロキシプロピルメチルセルロース、メチルセルロース、カルボキシメチルセルロース、ヒドロキシエチルセルロース、およびヒドロキシプロピルセルロースなどのセルロースエーテル；フェヌグリークガム、カッシアガム、ローカストビーンガム、タラガム、グアーガムなどのポリガラクトマンナンが挙げられ得る。
【００８０】
他の好適な成分としては、有機または無機洗浄性ビルダーが挙げられる。単独で、またはそれ自体と組み合わせて、または有機アルカリ封鎖剤ビルダー塩と組み合わせて使用することができる水溶性無機ビルダーの例は、グリシン、アルキルおよびアルケニルコハク酸塩、アルカリ金属炭酸塩、アルカリ金属重炭酸塩、リン酸塩、ポリリン酸塩、およびケイ酸塩である。そのような塩の具体例は、トリポリリン酸ナトリウム、炭酸ナトリウム、炭酸カリウム、重炭酸ナトリウム、重炭酸カリウム、ピロリン酸ナトリウム、およびピロリン酸カリウムである。単独で、または互いに組み合わせて使用することができる有機ビルダー塩の例としては、Ｎｏｖａｒｉｔｅ（商標）ＡＤ８１０またはＬＤ９２０などのアルカリ金属ポリカルボキシレート、クエン酸ナトリウムおよびカリウムなどの水溶性クエン酸塩、酒石酸ナトリウムおよびカリウム、エチレンジアミン四酢酸ナトリウムおよびカリウム、Ｎ−（２−ヒドロキシエチル）−ニトリロ三酢酸ナトリウムおよびカリウム、Ｎ−（２−ヒドロキシエチル）−ニトリロ二酢酸ナトリウムおよびカリウム、オキシジコハク酸ナトリウムおよびカリウム、ならびに酒石酸モノおよびジコハク酸ナトリウムおよびカリウムが挙げられる。
【００８１】
好適な殺生剤としては、トリクロサン（５−クロロ−２（２，４−ジクロロ−フェノキシ）フェノール）などが挙げられる。好適な光学増白剤としては、スチルベン、ジスチリルビフェニル誘導体、スチルベン／ナフトトリアゾールブレンド、オキサゾール誘導体、およびクマリン増白剤が挙げられる。
【００８２】
好適な酵素としては、例えば、デンプン分解性、タンパク質分解性、セルロース分解性、または脂肪分解性のタイプなど、当技術分野において既知であるものが挙げられる。他の好適な酵素としては、プロテアーゼ、アミラーゼ、リパーゼおよびセルラーゼ、細菌プロテアーゼ、真菌リパーゼ、細菌アミラーゼ、真菌酵素、および単一成分セルラーゼが挙げられる。本発明に従って使用するのに好適なこれらのクラスの追加の酵素は、当業者に周知であり、様々な商業的供給業者から入手可能である。
【００８３】
好適な発泡安定剤としては、ポリアルコキシ化アルカノールアミド、アミド、アミンオキシド、ベタイン、スルタイン、Ｃ８〜Ｃ１８脂肪アルコールが挙げられる。発泡安定剤は、例えば、約１〜約２０重量パーセント、典型的には約３〜約５重量パーセントの量で使用される。組成物は、脂肪酸アミド界面活性剤などの補助発砲安定化界面活性剤をさらに含むことができる。好適な脂肪酸アミドは、Ｃ８〜Ｃ２０アルカノールアミド、モノエタノールアミド、ジエタノールアミド、およびイソプロパノールアミドである。
【００８４】
構造化された単位用量溶解性物品は、ポリマー分散剤、酸化剤、活性剤、触媒、増粘剤、Ｂｉｔｒｅｘなどの苦味剤、他の安定剤、土壌懸濁剤、増白剤、ＵＶプロテクタ、塩、水、不活性成分などのホームケア組成物に有用なまたさらなる成分を含有し得る。
【００８５】
構造化された単位用量溶解性物品は、洗浄組成物を構造化剤組成物と混合することによって調製することができ、両方の組成物は上記のとおりである。次いで、構造化された単位用量溶解性物品は、洗浄組成物と構造化剤組成物との混合物から形成することができる。
【００８６】
構造化された単位用量溶解性物品を使用して、食器洗い洗浄組成物、洗濯洗浄組成物、硬質表面洗浄組成物などの洗浄組成物を形成することができる。一実施形態では、構造化された単位用量溶解性物品は、そのまま、例えば、前処理として、例えば、頑固な汚れをこするために、または溶液中に溶解され、次いで、例えば、食器洗い機、洗濯機、スプレーボトルなどにおいて使用される濃縮物として、使用され得る。
【００８７】
一実施形態では、構造化された単位用量溶解性物品は、混合物を成形することによって、例えば、真空形成、射出成形、または圧縮成形でさえ形成することができる。一実施形態では、洗浄組成物と構造化剤組成物との混合物を調製し、混合物を昇温に保ち、混合物を液体形態に維持することによって、構造化された単位用量溶解性物品を形成することができる。次いで、液体混合物をトレイまたは真空トレイなどの金型に充填し、温度を低減するか、および／または成形品を鋳造するときに溶媒を除去することによって形成させることができる。液体混合物はまた、様々な形状および構成のうちのいずれかに射出成形することができる。
【００８８】
構造化された単位用量溶解性物品はまた、圧縮成形によって調製され得る。圧縮成形は、例えば、洗浄組成物と構造化剤組成物との混合物を調製し、組成物を固化させ、続いて固体組成物を所望の形態に圧縮することによって調製された、洗浄組成物と構造化剤組成物との混合物の固体スラグで実施することができる。
【００８９】
一実施形態では、構造化された単位用量溶解性物品組成物は、既存の単位用量製造機器を使用して鋳造または成形することができる。既存の単位用量機器は、この新しい型の形成を促進するために最小限の技術改良を必要とする。構造化された単位用量溶解性物品は、洗浄組成物と構造化剤組成物との混合物を調製し、混合物を昇温に保ち、混合物を液体形態に維持することによって形成することができる。液体混合物は、次いで、射出ポンプによって既存の機器の金型に充填することができる。
【００９０】
いくつかの実施形態では、構造化された単位用量溶解性物品は、形状に穿孔するか、または非平滑表面を生成することによって、高表面積形状の形態で提供され得る。ドーナツ形状は、溶質が構造化された単位用量溶解性物品を包み込み、それを溶解させるために、溶質のより大きな表面積を可能にするために、その中心の一部を取り除いた例示的な形状である。
【００９１】
実施形態では、構造化された単位用量溶解性物品は、同じ単位に一緒に成形された異なる製剤から調製することができる。例えば、構造化された単位は、洗浄のための製剤および布地柔軟化のための別個の製剤を含有することができる。
【００９２】
溶解性物品は、任意の形状に作製し、任意の色を組み込むことができる。成形された構造化された単位用量溶解性物品の例を図１に見ることができる。
【００９３】
一実施形態では、液体混合物を分配カップに充填し、冷却して凝固させることができる。別の態様では、構造化された単位用量溶解性物品を成形し、次いで、分配カップに収めることができる。一実施形態では、分配カップは乾燥機シートであり得る。分配カップ内の構造化された単位用量溶解性物品の例を図２に見ることができる。
【００９４】
構造化された単位用量溶解性物品は、目立たない部分を所望の長さで切り離すことを可能にするテープまたはスティックの形態に圧縮成形され得る。例えば、物品は連続ストリップに形成され、その後、例えば図３に示すように、ストリップに沿って所定の長さで穿孔または何らかの方法で弱化され、目立たない構造化された単位用量溶解性物品をストリップから切り離すことができる。
【００９５】
構造化された単位用量溶解性物品はまた、混合物を硬化させ、次いで、例えば、３Ｄ印刷プロセスにより、硬化した混合物を形作ることによって、または表面上に少量の混合物を設定し、混合物を乾燥および硬化させ、硬化した混合物を所望の形状に形作るという従来のプロセスによって、形成することもできる。
【００９６】
他の実施形態では、構造化された単位用量溶解性物品は、混合物を押出することによって、または混合物をダイカットプロセスにかけることによって形成することができる。混合物を最終消費者向け包装に直接押出することも可能である。
【００９７】
他の実施形態では、洗浄組成物と構造化剤組成物との混合物の固体組成物は、液体洗浄組成物を内部に保持することができる空の容器の形態に鋳造または成形または圧縮することができる。
【００９８】
一実施形態では、構造化された単位用量溶解性物品は、例えば、浸漬またはコーティングプロセスにおいて、予備成形された形態上のコーティングであり得る。
【００９９】
形成後、構造化された単位用量溶解性物品をコーティングで被覆することもできる。例えば、構造化された単位用量溶解性物品は、溶解を遅らせるのを補助するために、または審美的もしくは触覚的な目的のために被覆され得る。
【０１００】
一実施形態では、構造化された単位用量溶解性物品は、露出した構造化された単位用量溶解性物品の取り扱いを回避するために、溶解性浴槽内または溶解性浴槽で被覆または包装され得る。
【０１０１】
構造化された単位用量溶解性物品は、例えば、図４に示されるように、使用者が露出した物品の取り扱いを回避することができるクイックリリースのための形態に包装することもできる。
【０１０２】
一実施形態では、構造化された単位溶解性物品は、例えば、ツイストおよびプッシュ機構などの投与機構を含むことができ、その例は図５に見ることができる。
【０１０３】
いくつかの実施形態では、構造化された単位用量溶解性物品は、プラスチック浴槽、プラスチック袋、または段ボール箱などの容器に収容することができ、その例を図６に見ることができる。
【０１０４】
本明細書で使用される場合、「縮合生成物」という用語は、縮合反応が実際に実行されて生成物に直接つながるかどうかに関係なく、エステル、アミド、イミド、および酸または酸の反応性等価物（例えば、酸ハロゲン化物、無水物、もしくはエステル）と、アルコールまたはアミンとの縮合反応によって調製され得る他のそのような物質を包含することを意図する。したがって、例えば、特定のエステルは、縮合反応によって直接ではなく、エステル交換反応によって調製され得る。その結果として生じる生成物は、依然として縮合生成物とみなされる。
【０１０５】
記載されている各化学物質成分の量は、特に指示がない限り、市販の材料に通常存在し得る溶媒または希釈油を除いて、つまり活性化学物質に基づいて示されている。ただし、特に指示がない限り、本明細書で言及する各化学物質または組成物は、異性体、副生成物、誘導体、および商業グレードに存在すると通常理解される他のそのような物質を含み得る商業グレードの物質であると解釈されるべきである。
【０１０６】
上記の物質のいくつかは、最終的な製剤で相互作用し得ることが既知であるため、最終的な製剤の成分は最初に添加されるものと異なり得る。例えば、金属イオンは他の分子の他の酸性またはアニオン性部位に移動する可能性がある。それにより形成された生成物は、本発明の組成物をその意図する用途において用いるために形成された生成物を含み、簡単に説明されない場合がある。それにもかかわらず、そのような変性物および反応生成物は全て、本発明の範囲内に含まれ、本発明は、上記の成分を混合することにより調製される組成物を包含する。
【０１０７】
本明細書で使用される場合、「約」という用語は、所定の量の値が表示値の±２０％以内であることを意味する。他の実施形態では、値は、表示値の±１５％以内である。他の実施形態では、値は、表示値の±１０％以内である。他の実施形態では、値は、表示値の±５％以内である。他の実施形態では、値は、表示値の±２．５％以内である。他の実施形態では、値は、表示値の±１％以内である。
【０１０８】
さらに、本明細書で使用される場合、「実質的に」という用語は、所定の量の値が表示値の±１０％以内であることを意味する。他の実施形態では、値は、表示値の±５％以内である。他の実施形態では、値は、表示値の±２．５％以内である。他の実施形態では、値は、表示値の±１％以内である。
【０１０９】
本明細書における本発明は、安全で、効果的で、かつ制御可能な単位用量洗浄製品を提供するのに有用であり、これは以下の実施例を参照してより良好に理解され得る。
【実施例】
【０１１０】
構造化された単位用量錠剤を得る試みにおいて、様々なポリマーを使用して、いくつかの典型的な洗剤製剤が試験された。錠剤を調製するための一般的な手順は、材料を加熱して、混合しながら流体混合物を作製することを包含した。次いで、加熱された混合物を金型中に注ぎ込み、冷却させておき、形を整えた。
【０１１１】
最初に、アニオン性界面活性剤および非イオン性界面活性剤を有する典型的な洗剤を、２重量％〜９重量％の濃度のポリマー添加剤（ポリアクリレート、Ｃａｒｂｏｐｏｌ、ＨＡＳＥ、粘土（ベントナイト）、天然ゴム）とともに試験した。結果として得られた組成物は、非常に粘性があったが、自立ゲルではなかった。
【表１】
2020536991.tif 000005
【０１１２】
組成物は、それ自体では自立するゲルを形成せず、組成物の粘度は高いが、粘性液体のみを形成した。
【０１１３】
脂肪酸混合物を製剤に添加することによって、必要な構造を提供する試みがなされた。
【表２】
2020536991.tif 000006
【０１１４】
結果として得られた製剤は、透明で濃厚な液体を与えた。
【０１１５】
上記製剤は再び調製され、ポリマー添加剤は、Ｃ１〜Ｃ１２アルキル（メタ）アクリレート／ヒドロキシルＣ１〜Ｃ１２アルキル（メタ）アクリレート／エトキシ化Ｃ１〜Ｃ３０アルキル（メタ）アクリレートの組み合わせから誘導される非イオン性ポリアクリレートポリマーと、エチレンオキシドから誘導される約１０〜２００単位を有するポリエチレングリコールメチルグルコースポリマーと、の組み合わせに変更された。
【表３】
2020536991.tif 000007
【０１１６】
結果は、ＲＴにおいて流動性ではなく、ワックス状の物質であった。
【０１１７】
ポリエチレングリコール、エンドキャップされたポリエーテルなどのポリエーテルは、材料を結合することを補助し、錠剤のひび割れを回避し、溶解も補助することができる。したがって、水溶性ポリエーテルが組成物中に添加される。
【表４】
2020536991.tif 000008
【０１１８】
各試料６〜８は、ワックス錠剤を形成したが、いくらかの融解が５０℃で発生した。
【０１１９】
しかしながら、ポリエーテル（特にポリエチレングリコール）ベースのポリウレタンをポリエチレングリコールポリマーとともに添加すると、ワックスは、融解することなくその形状を維持することが観察された。
【表５】
2020536991.tif 000009
【０１２０】
ポリエチレングリコールポリマーおよびポリエチレングリコールメチルグルコースポリマー（エチレンオキシドから誘導される約１２０単位を有する）を用いて、さらなる試料を作製した。以下の表の全ての製剤は、高温安定構造化された単位用量を形成した。
【表６】
2020536991.tif 000010
【表７】
2020536991.tif 000011
【０１２１】
構造化された単位用量溶解性物品の洗浄力は、次の条件下でターゴトメータを使用して実施された。
・水の硬度−Ｃａ２＋／Ｍｇ２＋＝２／１モル／モルで１５０ｐｐｍ
・洗浄温度は２５℃であり、
・洗浄時間は２０分であり、
・すすぎ時間は室温で５分であった。
・生成物の濃度は０．２％、すなわち、２ｇ／Ｌであった。
・染みごとに３回の繰り返し洗浄を実施した。
【０１２２】
構造化された単位用量溶解性物品は、以下の表に列挙された組成を有していた。
【表８】
2020536991.tif 000012
【０１２３】
試験用汚れた見本を以下に要約する。
【表９】
2020536991.tif 000013
【０１２４】
ゲル錠剤は、市場に出回っている１つのプレミアム市販製品とともに試験された。見本の「デルタＥ」は、ＨｕｎｔｅｒＬａｂ  Ｌａｂｓｃａｎ  ＸＥ光学デバイスを使用して測定される。デルタＥ値は、汚れた見本と参照見本との色の違いを表し、ＨｕｎｔｅｒＬａｂ  Ｌａｂｓｃａｎ機器によって自動的に生成される「Ｌ」、「ａ」、および「ｂ」の値を使用する次の式で計算される。
デルタＥ＝［（Ｌ試料−Ｌ標準）２＋（ａ試料−ａ標準）２＋（ｂ試料−ｂ標準）２］１／２
【０１２５】
光学機器で色の違いを読み取ると、視覚的な観察に依存するよりも正確な測定値が得られる。結果を下記に要約する。
【表１０】
2020536991.tif 000014
【０１２６】
試料２１の構造化された単位用量溶解性物品の再付着防止特性も、以下の条件下でターゴトメータを使用して試験された。
・水の硬度−Ｃａ２＋／Ｍｇ２＋＝３／２モル／モルで３００ｐｐｍ、
・洗浄温度は１００°Ｆであり、
・洗浄時間は１５分であり、
・すすぎ時間は室温で５分であった。
・生成物の濃度は０．２％、すなわち、２ｇ／Ｌであった。
・追加の汚れは、０．０１％でのカーボンブラックＭｏｎａｒｃｈ１２０である。
・試験用の汚れの存在下で、複数サイクルの洗浄を実施した。
【０１２７】
試験用布地見本は綿の下地であり、以下に示されている。
【表１１】
2020536991.tif 000015
【０１２８】
試料２１のゲル錠剤、および試料２２のラベルが付けられた酵素なしの試料２１のゲル錠剤は、市場に出回っている１つのプレミアム市販製品と一緒に試験された。結果を下記に要約する。ここで、デルタＥの値が低いほど、再付着防止特性が高くなる。デルタＥの値が低いほど、試験された布地への汚れの再付着の程度が少ないことを示している。
【表１２】
2020536991.tif 000016
【０１２９】
上記で言及された文書の各々それぞれは、上記に具体的に列挙されているかどうかにかかわらず、優先権が主張されるあらゆる先行出願を含んで参照により本明細書に組み込まれる。いずれの文書の言及も、あらゆる権限において、そのような文書が先行技術としての資格を有すること、または当業者の一般知識を構成することの承認ではない。実施例を除き、または特に明示的に示されている場合を除き、物質の量、反応条件、分子量、炭素原子の数などを指定するこの説明の全ての数量は、「約」という単語によって修正されるものとして理解されたい。本明細書に記載の量、範囲、および比率の上限および下限は、独立して組み合わせることができることを理解されたい。同様に、本発明の各要素の範囲および量は、他の要素のいずれかの範囲または量とともに使用され得る。
【０１３０】
本明細書で使用される場合、「含む（ｉｎｃｌｕｄｉｎｇ）」、「含有する（ｃｏｎｔａｉｎｉｎｇ）」、または「を特徴とする（ｃｈａｒａｃｔｅｒｉｚｅｄ  ｂｙ）」と同義である「含む（ｃｏｍｐｒｉｓｉｎｇ）」という移行性用語は、包括的または無制限であり、追加の、列挙されていない要素または方法ステップを除外しない。しかしながら、本明細書の「含む（ｃｏｍｐｒｉｓｉｎｇ）」の各列挙において、この用語は、代替実施形態として、「から本質的になる（ｃｏｎｓｉｓｔｉｎｇ  ｅｓｓｅｎｔｉａｌｌｙ  ｏｆ）」および「からなる（ｃｏｎｓｉｓｔｉｎｇ  ｏｆ）」という語句も包含することを意図しており、ここで、「からなる（ｃｏｎｓｉｓｔｉｎｇ  ｏｆ）」は、指定されていない任意の要素またはステップを除外し、「から本質的になる（ｃｏｎｓｉｓｔｉｎｇ  ｅｓｓｅｎｔｉａｌｌｙ  ｏｆ）」は、考慮されている組成物または方法の本質的または基本的および新規の特徴に実質的に影響を与えない追加の列挙されていない要素またはステップを含めることを許容する。
【０１３１】
主題の発明を説明する目的で、特定の代表的な実施形態および詳細を示してきたが、主題の発明の範囲から逸脱することなく様々な変更および修正を行うことができることは当業者には明らかであろう。これに関して、本発明の範囲は、以下の特許請求の範囲によってのみ制限されるものとする。
【図１】
2020536991.tif 000017
【図２】
2020536991.tif 000018
【図３】
2020536991.tif 000019
【図４】
2020536991.tif 000020
【図５】
2020536991.tif 000021
【図６】
2020536991.tif 000022
【国際調査報告】
2020536991.tif 000023
2020536991.tif 000024
2020536991.tif 000025
2020536991.tif 000026